(57)【要約】【課題】フォーカルプレンシャッタにおいて、シャッタ羽根作動時の摩擦を低減し、塵埃の発生及び飛散を抑制可能な構成とする。【解決手段】フォーカルプレンシャッタにおいて、各々が開口部を有する地板及び補助地板と、前記地板と前記補助地板との間に配置された開口部を有する中間板と、前記地板と前記中間板との間に配置された第１羽根と、前記補助地板と前記中間板との間に配置された第２羽根と、を備え、前記中間板は、前記第１羽根の移動領域に形成され、前記第１羽根と接する第１凸部と、前記第２羽根の移動領域に形成され、前記第２羽根と接する第２凸部と、を有する構成とする。【選択図】図１
2020034712.tif 000002
【特許請求の範囲】
【請求項１】
各々が開口部を有する地板及び補助地板と、
前記地板と前記補助地板との間に配置された開口部を有する中間板と、
前記地板と前記中間板との間に配置された第１羽根と、
前記補助地板と前記中間板との間に配置された第２羽根と、を備え、
前記中間板は、
前記第１羽根の移動領域に形成され、前記第１羽根と接する第１凸部と、
前記第２羽根の移動領域に形成され、前記第２羽根と接する第２凸部と、を有する、
フォーカルプレンシャッタ。
【請求項２】
前記第１凸部及び前記第２凸部には、潤滑剤が配置されている、
請求項１に記載のフォーカルプレンシャッタ。
【請求項３】
前記第１羽根の端部に重なるよう配置された第１羽根押さえ板をさらに備え、
前記第１羽根押さえ板は、前記第１羽根の移動軌跡に沿って形成され、前記第１羽根と接する第３凸部を有する、
請求項１または請求項２に記載のフォーカルプレンシャッタ。
【請求項４】
前記第２羽根の端部に重なるよう配置された第２羽根押さえ板をさらに備え、
前記第２羽根押さえ板は、前記第２羽根の移動軌跡に沿って形成され、前記第２羽根と接する第４凸部を有する、
請求項３に記載のフォーカルプレンシャッタ。
【請求項５】
請求項１から請求項４のいずれか１項に記載のフォーカルプレンシャッタを備える撮像装置。
【発明の詳細な説明】
【技術分野】
【０００１】
本発明の一態様は、カメラなどの撮像装置に用いられるフォーカルプレンシャッタなどに関する。
【背景技術】
【０００２】
羽根群によって開口部（画枠）を開閉することで撮像素子に対する露光を行うフォーカルプレンシャッタでは、地板、中間板、及び補助地板の間に形成された羽根室に配置された羽根群を駆動機構により駆動することで開口部の開閉状態を変化させ、露光が行われる構成となっている。このようなフォーカルプレンシャッタでは、作動の際に羽根群が地板、補助地板、及び中間板に摺動することで摩擦が起こり、これらの構成から摩耗粉などの塵埃が発生する。これらの塵埃は、撮像素子に付着すると撮像した画像の画質の低下が起こり、羽根室に堆積すると羽根群の作動の障害となることがある。そこで、これらの塵埃を低減させるために、羽根群と、地板、補助地板、及び中間板との摩擦を低減させる種々の構成が採用されている。例えば、特許文献１には、アーム３、４のかしめ軸９の頭部９ａが、頭部９ａの作動軌跡に沿って形成された、シャッタ地板１の羽根室側の突条１ｋと摺動できるようにした構成が開示されている。また、特許文献２には、絞り羽根２に凸部２ｃを設けた構成が開示されている。
【先行技術文献】
【特許文献】
【０００３】
【特許文献１】特開２００１−２８１７２８号公報
【特許文献２】特開２００３−１７７４４４号公報
【発明の概要】
【発明が解決しようとする課題】
【０００４】
近年、撮像素子の解像度が高くなり、優れた画質の画像を撮像する撮像装置が求められており、摩擦により発生した塵埃が撮像素子に付着することに起因する画質の低下を、さらに低減させることが求められている。また、従来以上の耐久性を高めた撮像装置が求められている。これに対して、従来の塵埃を低減させる構成では十分でないことがあった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の第１の手段は、
各々が開口部（１ａ，２ａ）を有する地板（１）及び補助地板（２）と、
前記地板と前記補助地板との間に配置された開口部を有する中間板（３）と、
前記地板と前記中間板との間に配置された第１羽根（５）と、
前記補助地板と前記中間板との間に配置された第２羽根（４）と、を備え、
前記中間板（３）は、
前記第１羽根（５）の移動領域に形成され、前記第１羽根と接する第１凸部（３ｄ）と、
前記第２羽根（４）の移動領域に形成され、前記第２羽根と接する第２凸部（３ｂ、３ｃ）と、を有する、
フォーカルプレンシャッタである。
【０００７】
上記構成のフォーカルプレンシャッタによれば、第１羽根及び第２羽根が第１凸部及び第２凸部に摺動しながら作動するため、羽根と中間板との摩擦を低減させることができる。これにより、摩耗粉などの塵埃の発生を抑制することができ、摩耗粉が飛散して撮像素子に付着したり、羽根室などに堆積したりすることを抑制することができる。ひいては、画質低下を防止し、耐久性を向上させたシャッタを構成することなどが可能となる。また、第１凸部及び第２凸部により、厚み方向における羽根のばたつき範囲を制限することができるため、効果的な摩擦の低減、及び作動中のノイズの低減などが可能となる。
【０００８】
また、中間板に第１凸部と第２凸部の双方を形成する構成としているため、例えば、地板及び補助地板に凸部を形成する構成と比較すると、シャッタの製作コストを低減できるため好ましい。
【０００９】
上記フォーカルプレンシャッタにおいて、好ましくは、
前記第１凸部及び第２凸部には、潤滑剤が配置されている。
【００１０】
上記構成のフォーカルプレンシャッタによれば、羽根と中間板との摩擦をさらに低減させることができ、摩耗粉などの塵埃の発生をより効果的に抑制することができる。また、第１凸部及び第２凸部にのみ、潤滑剤を配置すれば十分であるため、潤滑剤の使用量を低減させることが可能となる。また、メンテナンス性を向上させることなどが可能となる。
【００１１】
上記フォーカルプレンシャッタにおいて、好ましくは、
前記第１羽根の端部に重なるよう配置された第１羽根押さえ板（３４）をさらに備え、
前記第１羽根押さえ板は、前記第１羽根の移動軌跡に沿って形成され、前記第１羽根と接する第３凸部（３４ａ）を有する。
【００１２】
上記構成のフォーカルプレンシャッタによれば、作動時における第１羽根押さえ板と第１羽根との摺動部分が、第３凸部の部分に限定されるため、第１羽根と第１羽根押さえ板との摩擦を低減させることができる。これにより、摩耗粉などの塵埃の発生を、さらに効果的に抑制することができる。また、第３凸部により、厚み方向における羽根のばたつき範囲を制限することができるため、効果的な摩擦の低減、及び作動中のノイズの低減などが可能となる。
【００１３】
上記フォーカルプレンシャッタにおいて、好ましくは、
前記第２羽根の端部に重なるよう配置された第２羽根押さえ板（３３）をさらに備え、
前記第２羽根押さえ板は、前記第２羽根の移動軌跡に沿って形成され、前記第２羽根と接する第４凸部（３３ａ、３３ｂ）を有する。
【００１４】
上記構成のフォーカルプレンシャッタによれば、作動時における第２羽根押さえ板と第２羽根との摺動部分が、第４凸部の部分に限定されるため、第２羽根と第２羽根押さえ板との摩擦を低減させることができる。これにより、摩耗粉などの塵埃の発生を、さらに効果的に抑制することができる。また、第４凸部により、厚み方向における羽根のばたつき範囲を制限することができるため、効果的な摩擦の低減、及び作動中のノイズの低減などが可能となる。
【００１５】
上記いずれかのフォーカルプレンシャッタは、カメラなどの撮像装置に好適に適用される。
【００１６】
上記のような撮像装置によれば、摩耗粉などの塵埃が羽根室や駆動部に堆積したり、撮像素子に付着したりすることを抑制した構成にすることができる。これによって、摩耗粉に起因する動作不具合を防止しつつ、撮像装置で撮像される画像の品質の低下を抑制することなどが可能となる。
【図面の簡単な説明】
【００１７】
【図１】図１は、実施形態１における羽根走行前のフォーカルプレンシャッタの平面図である。
【図２】図２は、実施形態１における羽根走行後のフォーカルプレンシャッタの平面図である。
【図３】図３は、実施形態１のフォーカルプレンシャッタの断面図である。
【図４】図４は、実施形態２における羽根走行前のフォーカルプレンシャッタの平面図である。
【図５】図５は、実施形態２における羽根走行後のフォーカルプレンシャッタの平面図である。
【図６】図６は、実施形態２のフォーカルプレンシャッタの断面図である。
【発明を実施するための形態】
【００１８】
本発明のフォーカルプレンシャッタは、デジタルカメラなどの撮像装置に利用されるものであり、フォーカルプレンシャッタの羽根の作動時の摩擦を低減させ、摩耗粉などの塵埃の発生を抑制するために、中間板及び羽根押さえ板の少なくとも一方に凸部を設けた構成にしている点を特徴のひとつとする。
【００１９】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．実施形態２
３．本発明の特徴
４．補足事項
【００２０】
＜１．実施形態１＞
まず、本発明の実施形態１について具体的に説明する。本実施形態では、中間板に凸部が設けられた構成が主な特徴である。図１及び図２は、本実施形態のフォーカルプレンシャッタの平面図であって、図１は羽根走行前の状態を示し、図２は羽根走行後の状態を示している。図３は、本実施形態のフォーカルプレンシャッタの、羽根室周辺の断面図である。
【００２１】
図１及び図２に示されるように、本実施形態のフォーカルプレンシャッタは、地板１、補助地板２、中間板３、先羽根用羽根押さえ板３１、後羽根用羽根押さえ板３２、先羽根群４、後羽根群５、先羽根用主アーム６１、先羽根用従アーム６２、後羽根用主アーム７１、後羽根用従アーム７２、及び駆動部８を含んで構成される。図３の断面図に記載されたように、これらの構成は、補助地板２、先羽根用羽根押さえ板３１、先羽根群４、中間板３、後羽根群５、後羽根用羽根押さえ板３２、地板１の順に積層されて配置される。本明細書では、先羽根群４及び後羽根群５を「羽根群」または「羽根」と総称することがある。先羽根用主アーム６１及び後羽根用主アーム７１を「主アーム」と総称することがある。先羽根用従アーム６２及び後羽根用従アーム７２を「従アーム」と総称することがある。また、主アームと従アームとを「アーム」と総称することがある。先羽根用羽根押さえ板３１及び後羽根用羽根押さえ板３２を「羽根押さえ板」と総称することがある。
【００２２】
＜地板１＞
地板１は、フォーカルプレンシャッタの基板部分であって、略矩形状の開口部１ａを有している。開口部１ａは、矩形以外の任意の形状であってもよい。図１及び図２に示されるように、地板１の開口部１ａの側方（図の左側）の後述する羽根室外には、先羽根群４及び後羽根群５を駆動する駆動部８（図示省略）が搭載される。駆動部８は、モータまたは電磁アクチュエータなどを含んだ従来同様の構成である。駆動部８は、先羽根用主アーム６１及び後羽根用主アーム７１に連結された、動力を出力する駆動ピン８１及び８２を有し、これらの主アームを介して羽根に動力を伝達する。駆動部８の具体的な構成については説明を省略する。
【００２３】
地板１は、補助地板２との間に形成される羽根室内で先羽根用主アーム６１と先羽根用従アーム６２を回動可能に支持し、先羽根用主アーム６１と先羽根用従アーム６２の回動の中心となる回動軸を有する。地板１は、羽根室内に後羽根用主アーム７１と後羽根用従アーム７２を回動可能に支持し、後羽根用主アーム７１と後羽根用従アーム７２の回動の中心となる回動軸を有する。これらの回動軸は、例えば地板１に立設された軸状の構成である。地板１には、駆動部８から駆動力を出力する駆動ピン８１及び８２の移動軌跡に沿って、貫通孔が形成されている。これらの貫通孔は、それぞれ回動軸を中心として円弧状に延びる長孔であって、地板１を貫通している。貫通孔には、それぞれ先羽根群４用の駆動ピン８１と後羽根群５用の駆動ピン８２とが挿通される。
【００２４】
＜補助地板２＞
補助地板２は、地板１と対向する位置に、地板１に対して所定の間隔を空けて取り付けられる。補助地板２と地板１との間に形成された空間は、先羽根群４及び後羽根群５を収容する羽根室となる。地板１と補助地板２とにより形成された空間、または地板１及び補助地板２と中間板３とにより形成された空間を、「羽根室」と称することがある。
【００２５】
地板１と補助地板２との間の羽根室には、中間板３、先羽根群４、後羽根群５、先羽根用主アーム６１、先羽根用従アーム６２、後羽根用主アーム７１、後羽根用従アーム７２、先羽根用羽根押さえ板３１、及び後羽根用羽根押さえ板３２などが配置される。
【００２６】
補助地板２は、地板１の開口部１ａに対向する位置に形成された開口部２ａを有する。開口部２ａは、開口部１ａと類似の矩形状であるが、完全な矩形状ではなくてもよいし、矩形以外の任意の形状であってもよい。
【００２７】
補助地板２は、フォーカルプレンシャッタが搭載された撮像装置において、撮像素子（図示省略）に近い位置に配置される。ただし、撮像素子の位置に対する地板１及び補助地板２の向きは任意に変更可能である。なお、補助地板２は「カバー板」と呼ばれることがある。
【００２８】
＜中間板３＞
中間板３は、地板１と補助地板２との間に配置される。中間板３は、金属または樹脂で形成される。中間板３と地板１との間には、後羽根群５、後羽根用主アーム７１、及び後羽根用従アーム７２が収容される。中間板３と補助地板２との間には、先羽根群４、先羽根用主アーム６１、及び先羽根用従アーム６２が収容される。中間板３は、地板１の開口部１ａ及び補助地板２の開口部２ａに対向する位置に、矩形状の開口部３ａを有する。開口部１ａ及び２ａ同様、中間板３の開口部３ａも矩形状ではない任意の形状であってもよい。
【００２９】
主に図１及び図２に示されるように、中間板３は、先羽根群４の移動領域内の作動軌跡に沿って形成された凸部３ｂ及び３ｃ、並びに後羽根群５の移動領域内の作動軌跡に沿って形成された凸部３ｄを有する。図３に示されるように、凸部３ｂは、中間板３から、先羽根群４側に向かって突出する凸部である。凸部３ｃも凸部３ｂと同様である。凸部３ｄは、中間板３から、後羽根群５側に向かって突出する凸部である。凸部３ｂ〜３ｄは、シャッタの作動に伴い先羽根群４及び後羽根群５が作動する際に、先羽根群４及び後羽根群５に接するレールとして機能する。なお、凸部３ｂ〜３ｄは、先羽根群４及び後羽根群５の作動時に常に接していてもよいし、接したり離れたりするよう配置されてもよい。
【００３０】
なお、本実施形態では、凸部３ｂ〜３ｄは、各羽根群４及び５の作動軌跡に沿ったレール状に形成された構成を例示しているが、各凸部３ｂ〜３ｄの頂部と各羽根群４及び５との間隔は、各羽根群４及び５の作動方向における両端部よりも中央部のほうが狭くなるように形成されている。これにより、各羽根群４及び５の作動時に、羽根部材４１〜４４及び羽根部材５１〜５４がスムースに凸部３ｂ〜３ｄと接することができるようになる。
【００３１】
凸部３ｂ〜３ｄは、少なくとも先羽根群４及び後羽根群５と接する位置に、潤滑剤が配置されている。潤滑剤は、例えばフッ素系、エポキシ系、フェノール系、またはグラファイト系などの潤滑剤であって、例えば、塗装により配置される。潤滑剤は、凸部３ｂ〜３ｄにのみ配置されると、潤滑剤の使用量が限定的である点で好ましい。一方、凸部３ｂ〜３ｄを含む中間板３の全体に潤滑剤を塗布する場合には、潤滑剤塗布の工数が削減される場合がある点で好ましい。
【００３２】
本実施形態では、中間板３は、先羽根群４に向かって突出する２つの凸部３ｂ及び３ｃを有するが、この凸部は１つであってもよい。また、中間板３は、後羽根群５に向かって突出する１つの凸部３ｄを有するが、この凸部は２つ以上であってもよい。つまり、先羽根群４及び後羽根群５の移動領域内の作動軌跡に沿って形成されれば、これらの凸部の数は任意である。
【００３３】
また、凸部３ｂ〜３ｄは、アームと連結された側と反対側の各羽根群の端部の作動軌跡に沿って形成される構成としたが、これに限定されるものではなく、各羽根群の作動領域内の任意の場所に凸部が形成されてもよい。
【００３４】
また、凸部３ｂ〜３ｄの形状としてレール状の構成としたが、これに限定されるものではなく、凸部は円錐状であっても構わない。さらにこの場合、複数の円錐状の各凸部の頂部と各羽根群４及び５との間隔は、各羽根群４、５の作動方向における両端領域の複数の凸部よりも中央領域の複数の凸部ほうが狭くなるように形成されるようにしてもよい。このような構成にすると、各羽根群４及び５の作動時に、羽根部材４１〜４４及び羽根部材５１〜５４がスムースに複数の凸部と接することができるようになる。
【００３５】
＜先羽根群４＞
先羽根群４は、上記のように補助地板２と中間板３との間の羽根室に配置される。先羽根群４は、複数の板状の羽根部材４１〜４４からなり、周知のようにリベットなどの連結具によって、駆動部８が配置された側（図の左側）の位置で、先羽根用主アーム６１及び先羽根用従アーム６２に連結される。先羽根群４は、先羽根用主アーム６１を介して、先羽根用駆動ピン（図示省略）により駆動され、開口部１ａ、２ａ及び３ａにより形成される露光開口を覆う状態と開放する状態と（開閉状態）を切り替える。先羽根群４を構成する羽根部材４１〜４４は、それぞれアルミニウムなどの金属、カーボンファイバー、または樹脂などの素材により形成されるが、これらの素材に限定されるものではない。
【００３６】
＜後羽根群５＞
後羽根群５は、上記のように地板１と中間板３との間の羽根室に配置される。後羽根群５は、複数の板状の羽根部材５１〜５４からなり、周知のようにリベットなどの連結具によって、駆動部８が配置された側（図の左側）の位置で、後羽根用主アーム７１及び後羽根用従アーム７２に連結される。後羽根群５は、後羽根用主アーム７１を介して、後羽根用駆動ピン（図示省略）により駆動され、開口部１ａ、２ａ及び３ａにより形成される露光開口を覆う状態と開放する状態と（開閉状態）を切り替える。後羽根群５を構成する羽根部材５１〜５４は、それぞれアルミニウムなどの金属、カーボンファイバー、または樹脂などの素材により形成されるが、これらの素材に限定されるものではない。
【００３７】
＜アーム６１、６２、７１、及び７２＞
先羽根用主アーム６１は、先羽根用駆動ピン８１と先羽根群４との間に配置され、先羽根用駆動ピン８１が先羽根用主アーム６１の孔に挿入されて先羽根群４に連結される。先羽根用主アーム６１は、駆動部８で発生した駆動力を、先羽根用駆動ピン８１を介して先羽根群４に伝達することで先羽根群４を駆動する。先羽根用従アーム６２は、上記のように先羽根群４に連結される。先羽根用従アーム６２は、先羽根用主アーム６１と同様に、地板１の羽根室側の軸に回動自在に連結される。先羽根用従アーム６２は、駆動部８から直接駆動力は与えられず、先羽根用主アーム６１の作動に合わせて作動する。
【００３８】
後羽根用主アーム７１は、後羽根用駆動ピン８２と後羽根群５との間に配置され、後羽根用駆動ピン８２が後羽根用主アーム７１の孔に挿入されて後羽根群５に連結される。後羽根用主アーム７１は、駆動部８で発生した駆動力を、後羽根用駆動ピン８２を介して後羽根群５に伝達することで後羽根群５を駆動する。後羽根用従アーム７２は、上記のように後羽根群５に連結される。後羽根用従アーム７２は、後羽根用主アーム７１と同様に、地板１の羽根室側の軸に回動自在に連結される。後羽根用従アーム７２は、駆動部８から直接駆動力は与えられず、後羽根用主アーム７１の作動に合わせて作動する。
【００３９】
＜駆動ピン＞
先羽根用駆動ピン８１及び後羽根用駆動ピン８２は、それぞれ電磁アクチュエータなどを含む駆動部８に連結される。駆動部８は、外部から与えられる電力によって作動して、先羽根用駆動ピン及び後羽根用駆動ピンに動力を伝達する。先羽根用駆動ピン及び後羽根用駆動ピンは、それぞれ先羽根用主アーム６１及び後羽根用主アーム７１を介して、先羽根群４及び後羽根群５を駆動して開口部１ａの開閉状態を切り替える。先羽根群４及び後羽根群５の走行作動については、従来構成と同様である。
【００４０】
駆動部８は、先羽根用駆動ピン８１及び後羽根用駆動ピン８２に加え、例えば、永久磁石、ヨーク、コイル、及びコイルばねなどを含み、与えられた電力によって作動する。駆動部８は、従来から知られる電磁アクチュエータ、またはモータを含む。
【００４１】
＜先羽根用羽根押さえ板３１＞
先羽根用羽根押さえ板３１は、先羽根群４と補助地板２との間に配置される（図３参照）。先羽根用羽根押さえ板３１は、先羽根群４のアームと連結された側とは逆側の端部の移動軌跡に重なるよう配置される（図１及び図２参照）。先羽根用羽根押さえ板３１は、先羽根群４の厚み方向のばたつきを抑えるよう作用する。
【００４２】
＜後羽根用羽根押さえ板３２＞
後羽根用羽根押さえ板３２は、後羽根群５と地板１との間に配置される（図３参照）。後羽根用羽根押さえ板３２は、後羽根群５のアームと連結された側とは逆側の端部の移動軌跡に重なるよう配置される（図１及び図２参照）。後羽根用羽根押さえ板３２は、後羽根群５の厚み方向のばたつきを抑えるよう作用する。
【００４３】
撮像装置に本実施形態のフォーカルプレンシャッタが組み込まれるとき、開口部１ａ〜３ａに対応した位置には、撮像素子が配置される。撮像素子は、光軸方向から見た平面視で、開口部１ａ〜３ａに重なり、開口部１ａ〜３ａを覆うように配置される。本実施形態のフォーカルプレンシャッタを含む撮像装置は、レンズを保持するレンズ鏡筒、撮像素子が搭載された基板、並びにレンズ鏡筒、フォーカルプレンシャッタ、及び基板を覆うケースなどを含んで構成される。
【００４４】
＜２．実施形態２＞
次に、本発明の実施形態２について、図４〜図６を参照しながら具体的に説明する。本実施形態の構成は、実施形態１の構成と比較すると、中間板３に凸部を設ける代わりに、先羽根用羽根押さえ板３３及び後羽根用羽根押さえ板３４に凸部を設ける構成となっている点で相違し、それ以外の構成は共通している。ここでは、実施形態１に対する相違点についてのみ説明し、共通点については説明を省略する。
【００４５】
図４及び図５は、本実施形態のフォーカルプレンシャッタの平面図であって、図４は羽根走行前の状態を示し、図５は羽根走行後の状態を示している。図６は、本実施形態のフォーカルプレンシャッタの、羽根室周辺の断面図である。図４〜図６は、実施形態１の図１〜図３に対応する。
【００４６】
＜先羽根用羽根押さえ板３３＞
先羽根用羽根押さえ板３３は、先羽根群４と補助地板２との間に配置される（図６参照）。先羽根用羽根押さえ板３３は、先羽根群４のアームと連結された側とは逆側の端部の移動軌跡に重なるよう配置される（図４及び図５参照）。先羽根用羽根押さえ板３３は、先羽根群４の厚み方向のばたつきを抑えるよう作用する。
【００４７】
先羽根用羽根押さえ板３３は、先羽根群４の移動領域内の作動軌跡に沿って形成された凸部３３ａ及び３３ｂを有する。図６に示されるように、凸部３３ａは、先羽根用羽根押さえ板３３から、先羽根群４側に向かって突出する凸部である。凸部３３ｂも凸部３３ａと同様である。凸部３３ａ及び３３ｂは、シャッタの作動に伴い先羽根群４が作動する際に、先羽根群４に接するレールとして機能する。なお、凸部３３ａ及び３３ｂは、先羽根群４の作動時に常に接していてもよいし、接したり離れたりするよう配置されてもよい。
【００４８】
また、本実施形態の凸部３３ａ及び３３ｂは、先羽根群４の作動軌跡に沿ったレール状に形成されているが、凸部３３ａ及び３３ｂのそれぞれの頂部と先羽根群４との間隔は、先羽根群４の作動方向における両端部よりも中央部のほうが狭くなるように形成されている。これにより、先羽根群４の作動時に、羽根部材４１〜４４がスムースに凸部３３ａ及び３３ｂと接することができるようになる。
【００４９】
＜後羽根用羽根押さえ板３４＞
後羽根用羽根押さえ板３４は、後羽根群５の移動領域内の作動軌跡に沿って形成された凸部３４ａを有する。図６に示されるように、凸部３４ａは、後羽根用羽根押さえ板３４から、後羽根群５側に向かって突出する凸部である。凸部３４ａは、シャッタの作動に伴い後羽根群５が作動する際に、後羽根群５に接するレールとして機能する。なお、凸部３４ａは、後羽根群５の作動時に常に接していてもよいし、接したり離れたりするよう配置されてもよい。
【００５０】
また、本実施形態の凸部３４ａは、後羽根群５の作動軌跡に沿ったレール状に形成されているが、凸部３４ａの頂部と後羽根群５との間隔は、後羽根群５の作動方向における両端部よりも中央部のほうが狭くなるように形成されている。これにより、後羽根群４の作動時に、羽根部材５１〜５４がスムースに凸部３４ａと接することができるようになる。
【００５１】
凸部３３ａ、３３ｂ及び３４ａは、少なくとも先羽根群４及び後羽根群５と接する位置に、潤滑剤が配置されている。潤滑剤は、例えばフッ素系、エポキシ系、フェノール系、またはグラファイト系などの潤滑剤であって、例えば、塗装により配置される。潤滑剤は、凸部３３ａ、３３ｂ及び３４ａにのみ配置されると、潤滑剤の使用量が限定的である点で好ましい。一方、凸部３３ａ、３３ｂ及び３４ａを含む先羽根用羽根押さえ板３３及び後羽根用羽根押さえ板３４の全体に潤滑剤を塗布する場合には、潤滑剤塗布の工数が削減される場合がある点で好ましい。
【００５２】
本実施形態では、先羽根用羽根押さえ板３３は、先羽根群４に向かって突出する２つの凸部３３ａ及び３３ｂを有するが、この凸部は１つであってもよい。また、後羽根用羽根押さえ板３４は、後羽根群５に向かって突出する１つの凸部３４ａを有するが、この凸部は２つ以上であってもよい。つまり、先羽根群４及び後羽根群５の移動領域内の作動軌跡に沿って形成されれば、先羽根用羽根押さえ板３３及び後羽根用羽根押さえ板３４にそれぞれ形成される凸部の数は任意である。
【００５３】
また、凸部３３ａ、３３ｂ及び３４ａは、各羽根群のアームと連結された側と反対側の各羽根群の端部の作動軌跡に沿って形成される構成としたが、これに限定されるものではなく、これらの凸部が形成される場所は、各羽根押さえ板３３及び３４における各羽根群の作動領域内であれば任意に決定されてよい。
【００５４】
また、凸部３３ａ、３３ｂ及び３４ａがレール状の構成としたが、これに限定されるものではなく、各凸部は、例えば円錐状など、その他の形状であっても構わない。さらにこの場合、複数の円錐状などの各凸部の頂部と各羽根群４及び５との間隔は、各羽根群４及び５の作動方向における両端領域の複数の凸部よりも中央領域の複数の凸部ほうが狭くなるように形成されることが好ましい。これにより、各羽根群４及び５の作動時に、羽根部材４１〜４４及び羽根部材５１〜５４がスムースに複数の凸部と接することができるようになる。
【００５５】
＜３．本発明の特徴＞
上記で実施形態１及び２として具体例を説明した本発明は、以下のような特徴を有する。なお、実施形態１と実施形態２とは、部分的または全体的に組み合わせた構成とすることができる。
【００５６】
実施形態１のフォーカルプレンシャッタは、中間板３が、先羽根群４側に突出した凸部３ｂ及び３ｃを有し、後羽根群５側に突出した凸部３ｄを有する構成となっている。そのため、作動時には、先羽根群４は凸部３ｂ及び３ｃと摺動し、後羽根群５は凸部３ｄを摺動することとなり、羽根と中間板３との摩擦を低減させることができる。これにより、摩擦に起因する摩耗粉などの塵埃の発生を抑制することができ、摩耗粉が飛散して撮像素子に付着したり、羽根室などに堆積したりすることを抑制することができる。ひいては、画質低下を防止し、耐久性を向上させたシャッタを構成することなどが可能となる。また、凸部３ｂ〜３ｄにより、厚み方向における羽根のばたつき範囲を制限することができるため、効果的な摩擦の低減、及び作動中のノイズの低減などが可能となる。
【００５７】
また、中間板に第１凸部と第２凸部の双方を形成する構成であるため、例えば、地板及び補助地板に凸部を形成する構成と比較すると、シャッタの製作コストの低減が可能となる。
【００５８】
上記構成において、凸部３ｂ〜３ｄには潤滑剤が配置される構成とすることが好ましい。このような構成にすると、羽根と中間板３との摩擦をさらに低減させることができ、摩耗粉などの塵埃の発生をより効果的に抑制することができる。また、凸部３ｂ〜３ｄにのみ、潤滑剤を配置する構成とすると、潤滑剤の使用量を低減させることが可能となる。また、メンテナンス性を向上させることなどが可能となる。
【００５９】
実施形態１のフォーカルプレンシャッタに実施形態２のフォーカルプレンシャッタを組み合わせた構成では、先羽根用羽根押さえ板３３及び後羽根用羽根押さえ板３４に凸部３３ａ、３３ｂ、及び３４ａを設けた構成としている。当該構成では、これにより、羽根と羽根押さえ板との摩擦を低減する構成となっている。これにより、摩耗粉などの塵埃の発生を、さらに効果的に抑制可能な構成となっている。また、凸部３３ａ、３３ｂ、及び３４ａにより、厚み方向における羽根のばたつき範囲を制限することができるため、効果的な摩擦の低減、及び作動中のノイズの低減などが可能となる。
【００６０】
なお、凸部３３ａ、３３ｂ、及び３４ａは、先羽根用羽根押さえ板３３及び後羽根用羽根押さえ板３４の一方にのみ配置されても、摩擦の低減に一定の効果が得られる。特に、先羽根群４及び後羽根群５の、撮像素子に近接した側に凸部３３ａ、３３ｂ、及び３４ａのいずれかを配置する構成とすれば、摩耗粉が撮像素子に付着することを効果的に抑制できる点で好ましい。
【００６１】
本発明のいずれかの実施形態に記載のフォーカルプレンシャッタを含んで構成された撮像装置では、摩耗粉などの塵埃が羽根室や駆動部に堆積したり、撮像素子に付着したりすることを抑制した構成にすることができる。これによって、摩耗粉に起因する動作不具合を防止しつつ、撮像装置で撮像される画像の品質の低下を抑制可能な構成となる。
【００６２】
＜４．補足事項＞
以上、本発明の実施形態についての具体的な説明を行った。上記説明は、あくまで一具体例としての説明であって、本発明の範囲はこの実施形態に留まらず、当業者が把握可能な範囲にまで広く解釈されるものである。
【００６３】
また、実施形態では、フォーカルプレンシャッタに備えられる先羽根群４及び後羽根群５は、それぞれ複数の羽根部材を有する構成として説明したが、先羽根群４及び後羽根群５は、それぞれ一枚の羽根部材を有する構成であってもよい。
【００６４】
また、実施形態では先羽根群４及び後羽根群５を備えるフォーカルプレンシャッタについて説明したが、先羽根群４または後羽根群５のいずれか一方の羽根のみを備える構成を採用してもよい。その場合、実施形態のフォーカルプレンシャッタでは、中間板３を有する構成例を説明したが、中間板３を有さない構成を採用してもよい。
【産業上の利用可能性】
【００６５】
本発明は、デジタルカメラなどの撮像装置のフォーカルプレンシャッタなどとして好適に適用される。
【符号の説明】
【００６６】
１…地板
１ａ…開口部
２…補助地板
２ａ…開口部
３…中間板
３ａ…開口部
３ｂ〜３ｄ…凸部
３１、３３…先羽根用羽根押さえ板
３３ａ、３３ｂ…凸部
３２、３４…後羽根用羽根押さえ板
３４ａ…凸部
４…先羽根群
４１〜４４…羽根部材
５…後羽根群
５１〜５４…羽根部材
６１…先羽根用主アーム
６２…先羽根用従アーム
７１…後羽根用主アーム
７２…後羽根用従アーム
８…駆動部
８１、８２…駆動ピン
【図１】
2020034712.tif 000003
【図２】
2020034712.tif 000004
【図３】
2020034712.tif 000005
【図４】
2020034712.tif 000006
【図５】
2020034712.tif 000007
【図６】
2020034712.tif 000008